(57)【特許請求の範囲】
【請求項１】
帯状台紙に帯状の連続ラベルが仮着され、前記連続ラベルに、ラベルピッチの間隔で幅方向に第１のラベル破断用切り込みが形成されていると共に、連続ラベルを第１のラベル片と第２のラベル片とに左右に分離可能な第２のラベル破断用切り込みが搬送方向に形成されており、前記帯状台紙には、第１のラベル破断用切り込みと同一の箇所に、ラベルピッチの間隔で幅方向に第１の台紙破断用切り込みが形成されているラベル連続体を、
前記帯状台紙を連続ラベルから離間する方向に折り返す剥離板と、剥離板で折り返された帯状台紙にテンションを付与するテンション付与手段として機能する第１搬送ローラおよび第２搬送ローラと、を備え、連続ラベルを帯状台紙から剥離する剥離機構を有するプリンタを使用して印字し、
印字した連続ラベルを第１のラベル片と第２のラベル片とに第２のラベル破断用切り込みで分離し、
分離した第１のラベル片を帯状台紙から剥離した状態で発行すると共に、第２のラベル片を前記帯状台紙に仮着された状態で剥離板で折り返し、
第１搬送ローラおよび第２搬送ローラとの間に挟持してテンションを付与しながら搬送し、発行することを特徴とするラベル連続体の発行方法。
【発明の詳細な説明】
【技術分野】
【０００１】
本発明は、帯状台紙に帯状の連続ラベルが仮着されたラベル連続体およびその発行方法に関し、特に、小売流通業界において、客寄せ等の目的で行われる商品の値下げの際に用いる価格変更用ラベルや、商品を各仕分け先店の注文に応じて仕分けるに際に用いる検品用ラベルの発行に用いるラベル連続体およびその発行方法に関に関する。
【背景技術】
【０００２】
商品の値下げをアナウンスしたにも拘わらず、値下げが実施されずに信用を落とすことを防止する手段の一つとして、値下げ表示の外、商品の値下げ前の価格情報を含んだバーコード（以下、値下げ前価格バーコードと称す）が、誤ってレジで読み込まれないようにするために、値下げ前価格バーコードの少なくとも一部を目隠しして、値下げ前価格バーコードを読み込もうとしたときには、エラーを発して、値下げ後の価格情報を含んだバーコード（値下げ価格バーコードと称す）を読み取らなければならないことを気づかせるように仕向けることが行われている。
【０００３】
値下げ前価格バーコードの少なくとも一部を目隠しする目隠し片は、値下げ前価格バーコードに貼り付けることができるものであれば、どのようなものを用いても良いが、目隠し片を効率的に用意するために、値下げ価格バーコード片として印字発行された価格変更用ラベルの周囲の一部において脆く繋がった部分の先に、値下げ前価格バーコードの上に貼り付けて値下げ前価格バーコードを読み取りエラーとさせることができる目隠し片を一体に形成し、当該目隠し片を脆く繋がった部分でちぎることで、値下げ前価格バーコード上に貼り付けることができる値下げ価格バーコードラベルおよびその貼付方法が提案されている（例えば、特許文献１参照）。
【０００４】
また、物流センターに納入された商品を各仕分け先店の注文に応じて仕分けるに際し、商品情報と仕分け先情報とが印字され、商品に貼付される商品貼付片と、商品情報と仕分け先情報とが印字され、仕分け後の検品作業に用いる検品作業片からなる検品用ラベルが用いられる。商品貼付片と検品作業片とは、分離可能に発行され、商品を各仕分けゾーンに仕分けるときには、商品のために発行された商品貼付片を貼付すると共に、商品貼付片を貼付した商品を仕分けゾーンに仕分けたとき、検品作業片を商品に貼り付けている商品貼付片から切り離して当該仕分けゾーンのラベル入れに投入しておき、仕分け終了時に、当該仕分けゾーンのラベル入れに投入された検品作業片に印字された商品情報と仕分け先情報をバーコードリーダ等で読み取ることで検品を行っていた（例えば、特許文献２参照）。
【０００５】
しかしながら、従来の価格変更用ラベルでは、値下げ価格バーコード片と目隠し片との全部が台紙に仮着された状態で１枚ずつ発行されるため、目隠し片をちぎることを忘れて値下げ価格バーコード片を先に値下げ対象商品に貼付してしまい、目隠し片によって値下げ前価格バーコードが目隠しされない恐れがあると共に、発行された値下げ価格バーコード片を紛失してしまう恐れがあるという問題点があった。
【０００６】
さらに、従来の検品用ラベルでは、商品貼付片と検品作業片との全部が台紙に仮着された状態で１枚ずつ発行されるため、商品貼付片を商品に貼付する際に、台紙から剥がす手間が必要になり、貼付作業が繁雑になると共に、発行された検品作業片を紛失してしまう恐れがあるという問題点があった。
【特許文献１】特開２０００−３４４２１８号公報
【特許文献２】特開２００３−３４１８１１号公報
【発明の開示】
【発明が解決しようとする課題】
【０００７】
本発明は斯かる問題点に鑑みてなされたものであり、その目的とするところは、目隠し片や商品貼付片として発行した第１のラベル片を簡単且つ確実に商品に貼付することができると共に、値下げ価格バーコード片や検品作業片として第１のラベル片と同時に発行した第２のラベル片を紛失することなく管理することができるラベル連続体およびその発行方法を提供する点にある。
【課題を解決するための手段】
【０００８】
本発明は上記課題を解決すべく、以下に掲げる構成とした。
請求項１記載の発明の要旨は、帯状台紙に帯状の連続ラベルが仮着され、前記連続ラベルに、ラベルピッチの間隔で幅方向に第１のラベル破断用切り込みが形成されていると共に、連続ラベルを第１のラベル片と第２のラベル片とに左右に分離可能な第２のラベル破断用切り込みが搬送方向に形成されており、前記帯状台紙には、第１のラベル破断用切り込みと同一の箇所に、ラベルピッチの間隔で幅方向に第１の台紙破断用切り込みが形成されているラベル連続体を、前記帯状台紙を連続ラベルから離間する方向に折り返す剥離板と、剥離板で折り返された帯状台紙にテンションを付与するテンション付与手段として機能する第１搬送ローラおよび第２搬送ローラと、を備え、連続ラベルを帯状台紙から剥離する剥離機構を有するプリンタを使用して印字し、印字した連続ラベルを第１のラベル片と第２のラベル片とに第２のラベル破断用切り込みで分離し、分離した第１のラベル片を帯状台紙から剥離した状態で発行すると共に、第２のラベル片を前記帯状台紙に仮着された状態で剥離板で折り返し、第１搬送ローラおよび第２搬送ローラとの間に挟持してテンションを付与しながら搬送し、発行することを特徴とするラベル連続体の発行方法に存する。
【発明の効果】
【０００９】
本発明のラベル連続体の発行方法によれば、帯状の連続ラベルには、ラベルピッチの間隔で幅方向に第１のラベル破断用切り込みを形成しておくと共に、目隠し片として用いる第１のラベル片と値下げ価格バーコード片として用いる第２のラベル片とに左右に分離可能な第２のラベル破断用切り込みを形成しておき、連続ラベルが仮着された帯状台紙には、第１のラベル破断用切り込みと同一の箇所に、ラベルピッチの間隔で幅方向に第１の台紙破断用切り込みを形成しておくと共に、第１の台紙片と第２の台紙片とに左右に分離可能な第２の台紙破断用切り込みを第１のラベル片の下側に形成しておくことにより、値下げ前の価格情報を含んだバーコードを目隠しする目隠し片の一部もしくは全部を台紙から剥離した状態で、値下げ後の価格情報を含んだバーコードが印字された値下げ価格バーコード片の全部を帯状台紙に仮着された状態でそれぞれ発行することができるため、目隠し片が値下げ価格バーコード片より先に取り扱いやすい状態で発行され、目隠し片を簡単且つ確実に値下げ前価格バーコード上に貼付することができると共に、目隠し片と同時に発行された値下げ価格バーコード片を紛失することなく管理することができるという効果を奏する。
【００１０】
さらに、本発明のラベル連続体およびその発行方法は、帯状の連続ラベルには、ラベルピッチの間隔で幅方向に第１のラベル破断用切り込みを形成しておくと共に、商品貼付片として用いる第１のラベル片と検品作業片として用いる第２のラベル片とに左右に分離可能な第２のラベル破断用切り込みを形成しておき、連続ラベルが仮着された帯状台紙には、第１のラベル破断用切り込みと同一の箇所に、ラベルピッチの間隔で幅方向に第１の台紙破断用切り込みを形成しておくと共に、第１の台紙片と第２の台紙片とに左右に分離可能な第２の台紙破断用切り込みを第１のラベル片の下側に形成しておくことにより、商品情報と仕分け先情報とが印字され、商品に貼付される商品貼付片の一部もしくは全部を台紙から剥離した状態で、商品情報と仕分け先情報とが印字され、仕分け後の検品作業に用いる検品作業片の全部を帯状台紙に仮着された状態でそれぞれ発行することができるため、商品貼付片が検品作業片より先に取り扱いやすい状態で発行され、商品貼付片を簡単且つ確実に商品に貼付することができると共に、商品貼付片と同時に発行された検品作業片を紛失することなく管理することができるという効果を奏する。
【発明を実施するための最良の形態】
【００１１】
以下、本発明の実施の形態を図面に基づいて詳細に説明する。
【００１２】
図１は、本発明にかかるラベル連続体の実施の形態の構成を示す平面図である。
【００１３】
本実施の形態のラベル連続体１は、商品を値下げした際に用いる、値下げ前の価格情報を含んだバーコード（以下、値下げ前価格バーコードと称す）を目隠しする目隠し片と、値下げ後の価格情報を含んだバーコード（以下、値下げ価格バーコードと称す）が印字された値下げ価格バーコード片とからなる価格変更用ラベルや、商品情報および仕分け先情報が印字され、商品に貼付される商品貼付片と、商品情報および仕分け先情報が印字され、仕分け後の検品作業に用いる検品作業片からなる検品用ラベルの発行に用いられ、図１を参照すると、帯状の連続ラベル２と、連続ラベル２が仮着されている帯状台紙３とからなる。なお、図１において、（ａ）は、ラベル連続体１を連続ラベル２側から見た図であり、（ａ）は、ラベル連続体１を帯状台紙３側から見た図である。
【００１４】
連続ラベル２は、印字面を有する表面基材と、表面基材の下面に形成された粘着剤層とからなり、粘着剤層によって帯状台紙３に仮着されている。連続ラベル２には、図１（ａ）を参照すると、ラベルピッチＰの間隔で幅方向に第１のラベル破断用切り込み２１が形成されていると共に、連続ラベル２を左側ラベル片２ａと右側ラベル片２ｂとに左右に分離可能な第２のラベル破断用切り込み２２が形成されている。なお、第１のラベル破断用切り込み２１および第２のラベル破断用切り込み２２は、等間隔、周期的もしくはランダムに、連続ラベル２の厚みの全部もしくは一部に施されている切り込みであり、第１のラベル破断用切り込み２１、第２のラベル破断用切り込み２２を挟んだラベル片に対してそれぞれ異なる方向に力が加わると簡単に破断されるようになっている。なお、実施の形態では、第２のラベル破断用切り込み２２を中央に形成し、左側ラベル片２ａと右側ラベル片２ｂとを同一の大きさに分離できるように構成したが、第２のラベル破断用切り込み２２を形成する位置は、任意であり、左側ラベル片２ａと右側ラベル片２ｂとが異なる大きさに分離されるように構成しても良い。
【００１５】
帯状台紙３は、連続ラベル２の粘着剤層が仮着される面にシリコーン加工処理が施された剥離紙であり、図１（ｂ）を参照すると、連続ラベル２の第１のラベル破断用切り込み２１と同一の箇所に、ラベルピッチＰの間隔で幅方向に第１の台紙破断用切り込み３１が形成されていると共に、連続ラベル２の第２のラベル破断用切り込み２２と異なる箇所である左側ラベル片２ａの下側に、帯状台紙３を左側台紙片３ａと右側台紙片３ｂとに左右に分離可能な第２の台紙破断用切り込み３２が形成されている。なお、第１の台紙破断用切り込み３１および第２の台紙破断用切り込み３２は、等間隔、周期的もしくはランダムに、帯状台紙３の厚みの全部もしくは一部に施されている切り込みであり、第１の台紙破断用切り込み３１、第２の台紙破断用切り込み３２を挟んだ台紙片に対してそれぞれ異なる方向に力が加わると簡単に破断されるようになっている。さらに、図１（ｂ）に示す符号３３は、印字タイミングを検出するために帯状台紙３の裏面側に印字されたアイマークと称されるタイミングマークである。
【００１６】
次に、本実施の形態のラベル連続体１をプリンタによって発行する発行方法について図２および図３を参照して詳細に説明する。
図２は、図１に示すラベル連続体を価格変更用ラベルとして発行する第１の発行方法を説明するための説明図であり、図３は、図１に示すラベル連続体を価格変更用ラベルとして発行する第２の発行方法を説明するための説明図である。
【００１７】
ラベル連続体１を用いた価格変更用ラベルや検品用ラベルの発行には、連続ラベル２の印字面に印字を施す印字機構と、連続ラベル２を帯状台紙３から剥離する剥離機構とを備えたプリンタ４０を使用する。
【００１８】
プリンタ４０は、図２および図３を参照すると、印字機構として、プラテンローラ４１と発熱体がプラテンローラ４１に対向する面に形成されているサーマルヘッド４２とを有し、ラベル連続体１をプラテンローラ４１とサーマルヘッド４２との間に挟持搬送し、サーマルヘッド４２の発熱体を選択的に発熱させることにより、連続ラベル２を感熱発色させて所望の文字、バーコード等の印字を施すように構成されている。なお、熱転写リボンとラベル連続体１とをプラテンローラ４１とサーマルヘッド４２との間に挟持搬送して印字を行う熱転写方式で印字を行っても良く、インクを霧状にして吹き付けて印字を行うインクジェット方式で印字を行うようにしても良い。
【００１９】
また、プリンタ４０は、剥離機構として、帯状台紙３を連続ラベル２から離間する方向に折り返す剥離板４３と、剥離板４３で折り返された帯状台紙３にテンションを付与するテンション付与手段として機能する第１搬送ローラ４４および第２搬送ローラ４５とを有する。
【００２０】
（第１の発行方法）
ラベル連続体１を用いて価格変更用ラベルを発行する第１の発行方法は、図２を参照すると、ラベル連続体１をプラテンローラ４１とサーマルヘッド４２との間にセットすると共に、剥離板４３から突出する部分の連続ラベル２を第２のラベル破断用切り込み２２で左側ラベル片２ａと右側ラベル片２ｂとに分離させて、分離させた右側ラベル片２ｂおよび帯状台紙３を剥離板４３で折り返し、折り返した右側ラベル片２ｂおよび帯状台紙３をテンション機構にセット、すなわち第１搬送ローラ４４と第２搬送ローラ４５との間に挟持させる。
【００２１】
これにより、印字機構によって値下げ価格バーコードを右側ラベル片２ｂに印字すると共に、印字機構によって印字が施されたラベル連続体１は、右側ラベル片２ｂおよび帯状台紙３が剥離板４３で折り返され、折り返された右側ラベル片２ｂおよび帯状台紙３にテンションが付与されながら搬送されることになる。剥離板４３では、左側ラベル片２ａは、その搬送方向前方側から順次剥離されると共に、右側ラベル片２ｂは、折り返されるため、左側ラベル片２ａと右側ラベル片２ｂとは、第２のラベル破断用切り込み２２で破断されて分離される。従って、帯状台紙３から剥離された左側ラベル片２ａは、目隠し片として帯状台紙３から突出した状態で発行され、値下げ価格バーコードが印字された右側ラベル片２ｂは、値下げ価格バーコード片として帯状台紙３に仮着された状態で発行される。
【００２２】
左側ラベル片２ａは、帯状台紙３から剥離された状態で発行されるため、帯状台紙３から突出した状態の左側ラベル片２ａを第１のラベル破断用切り込み２１で切り取り、値下げ前価格バーコードを目隠しする目隠し片として用いて、発行された直後に値下げ前価格バーコード上に貼付することができ、値下げした商品が値下げ前の価格で販売されることを確実に防止することができる。
【００２３】
（第２の発行方法）
ラベル連続体１を用いて価格変更用ラベルを発行する第２の発行方法は、図３を参照すると、ラベル連続体１をプラテンローラ４１とサーマルヘッド４２との間にセットすると共に、剥離板４３から突出する部分の帯状台紙３を第２の台紙破断用切り込み３２で左側台紙片３ａと右側台紙片３ｂとに分離させて、分離させた左側台紙片３ａをテンション機構にセット、すなわち第１搬送ローラ４４と第２搬送ローラ４５との間に挟持させる。
【００２４】
これにより、印字機構によって値下げ価格バーコードを右側ラベル片２ｂに印字すると共に、印字機構によって印字が施されたラベル連続体１は、左側台紙片３ａが剥離板４３で折り返され、折り返された左側台紙片３ａにテンションが付与されながら搬送されることになる。剥離板４３では、左側台紙片３ａは、左側ラベル片２ａから順次剥離されると共に、右側台紙片３ｂは、左側ラベル片２ａおよび右側ラベル片２ｂが仮着された状態で発行されるため、左側台紙片３ａと右側台紙片３ｂとは、第２の台紙破断用切り込み３２で破断されて分離される。従って、左側ラベル片２ａは、目隠し片として一部が右側台紙片３ｂに仮着された状態で発行されると共に、値下げ価格バーコードが印字された右側ラベル片２ｂは、値下げ価格バーコード片として全部が右側台紙片３ｂに仮着された状態で発行される。
【００２５】
左側ラベル片２ａは、一部が右側台紙片３ｂに仮着された状態で発行されるため、簡単に右側台紙片３ｂから剥離し、値下げ前価格バーコードを目隠しする目隠し片として用いて、発行された直後に値下げ前価格バーコード上に貼付することができ、値下げした商品が値下げ前の価格で販売されることを確実に防止することができる。
【００２６】
なお、値下げ前価格バーコードを目隠しする目隠し片として用いる左側ラベル片２ａには、図２および図３に示すように、左側ラベル片２ａに値下げしたことや値下げ後の価格を視認可能な表記を印字することにより、ユーザに値下げ商品であることを通知できると共に、値下げ価格バーコードが印字された値下げ価格バーコード片の貼付を忘れた場合にでも、レジにて値下げ後の価格を手入力することが可能になる。
【００２７】
また、第１のラベル破断用切り込み２１で破断させた左側ラベル片２ａ（目隠し片）の大きさとして、商品に貼り付けられている商品ラベルにおける値下げ前価格バーコードの大きさと略同一か、若干大きい程度のものを用いると、商品ラベルに印字されている値下げ前価格以外の情報を隠すことなく、値下げ前価格の目隠しを行うことができるので好適である。
【００２８】
（第３の発行方法）
ラベル連続体１を用いて検品用ラベルを発行する第３の発行方法は、図２に基づいて説明した第１の発行方法と同様に、ラベル連続体１をプラテンローラ４１とサーマルヘッド４２との間にセットすると共に、剥離板４３から突出する部分の連続ラベル２を第２のラベル破断用切り込み２２で左側ラベル片２ａと右側ラベル片２ｂとに分離させて、分離させた右側ラベル片２ｂおよび帯状台紙３を剥離板４３で折り返し、折り返した右側ラベル片２ｂおよび帯状台紙３をテンション機構にセット、すなわち第１搬送ローラ４４と第２搬送ローラ４５との間に挟持させる。
【００２９】
これにより、印字機構によって商品情報および仕分け先情報を左側ラベル片２ａおよび右側ラベル片２ｂにそれぞれ印字すると共に、印字機構によって印字が施されたラベル連続体１は、右側ラベル片２ｂおよび帯状台紙３が剥離板４３で折り返され、折り返された右側ラベル片２ｂおよび帯状台紙３にテンションが付与されながら搬送されることになる。剥離板４３では、左側ラベル片２ａは、その搬送方向前方側から順次剥離されると共に、右側ラベル片２ｂは、折り返されるため、左側ラベル片２ａと右側ラベル片２ｂとは、第２のラベル破断用切り込み２２で破断されて分離される。従って、商品情報および仕分け先情報が印字され、帯状台紙３から剥離された左側ラベル片２ａは、商品貼付片として帯状台紙３から突出した状態で発行され、商品情報および仕分け先情報が印字された右側ラベル片２ｂは、検品作業片として帯状台紙３に仮着された状態で発行される。
【００３０】
（第４の発行方法）
ラベル連続体１を用いて検品用ラベルを発行する第４の発行方法は、図３に基づいて説明した第２の発行方法と同様に、ラベル連続体１をプラテンローラ４１とサーマルヘッド４２との間にセットすると共に、剥離板４３から突出する部分の帯状台紙３を第２の台紙破断用切り込み３２で左側台紙片３ａと右側台紙片３ｂとに分離させて、分離させた左側台紙片３ａをテンション機構にセット、すなわち第１搬送ローラ４４と第２搬送ローラ４５との間に挟持させる。
【００３１】
これにより、印字機構によって商品情報および仕分け先情報を左側ラベル片２ａおよび右側ラベル片２ｂにそれぞれ印字すると共に、印字機構によって印字が施されたラベル連続体１は、左側台紙片３ａが剥離板４３で折り返され、折り返された左側台紙片３ａにテンションが付与されながら搬送されることになる。剥離板４３では、左側台紙片３ａは、左側ラベル片２ａから順次剥離されると共に、右側台紙片３ｂは、左側ラベル片２ａおよび右側ラベル片２ｂが仮着された状態で発行されるため、左側台紙片３ａと右側台紙片３ｂとは、第２の台紙破断用切り込み３２で破断されて分離される。従って、左側ラベル片２ａは、商品貼付片として一部が右側台紙片３ｂに仮着された状態で発行されると共に、値下げ価格バーコードが印字された右側ラベル片２ｂは、検品作業片として全部が右側台紙片３ｂに仮着された状態で発行される。
【００３２】
以上説明したように、本実施の形態によれば、帯状の連続ラベル２に、ラベルピッチＰの間隔で幅方向に第１のラベル破断用切り込み２１を形成しておくと共に、目隠し片として用いる第１のラベル片２ａと値下げ価格バーコード片として用いる第２のラベル片２ｂとに左右に分離可能な第２のラベル破断用切り込み２２を形成しておき、連続ラベル２が仮着された帯状台紙３に、第１のラベル破断用切り込み２１と同一の箇所に、ラベルピッチＰの間隔で幅方向に第１の台紙破断用切り込み３１を形成しておくと共に、第１の台紙片３ａと第２の台紙片３ｂとに左右に分離可能な第２の台紙破断用切り込み３２を第１のラベル片２ａの下側に形成しておくことにより、値下げ前の価格情報を含んだバーコードを目隠しする目隠し片の一部もしくは全部を帯状台紙３から剥離した状態で、値下げ後の価格情報を含んだバーコードが印字された値下げ価格バーコード片の全部を帯状台紙３に仮着された状態でそれぞれ発行することができるため、目隠し片が値下げ価格バーコード片より先に取り扱いやすい状態で発行され、目隠し片を簡単且つ確実に値下げ前価格バーコード上に貼付することができると共に、目隠し片と同時に発行された値下げ価格バーコード片を紛失することなく管理することができるという効果を奏する。
【００３３】
さらに、本実施の形態によれば、帯状の連続ラベル２に、ラベルピッチＰの間隔で幅方向に第１のラベル破断用切り込み２１を形成しておくと共に、商品貼付片として用いる第１のラベル片２ａと検品作業片として用いる第２のラベル片２ｂとに左右に分離可能な第２のラベル破断用切り込み２２を形成しておき、連続ラベル２が仮着された帯状台紙３に、第１のラベル破断用切り込み２１と同一の箇所に、ラベルピッチＰの間隔で幅方向に第１の台紙破断用切り込み３１を形成しておくと共に、第１の台紙片３ａと第２の台紙片３ｂとに左右に分離可能な第２の台紙破断用切り込み３２を第１のラベル片２ａの下側に形成しておくことにより、商品情報と仕分け先情報とが印字され、商品に貼付される商品貼付片の一部もしくは全部を帯状台紙３から剥離した状態で、商品情報と仕分け先情報とが印字され、仕分け後の検品作業に用いる検品作業片の全部を帯状台紙３に仮着された状態でそれぞれ発行することができるため、商品貼付片が検品作業片より先に取り扱いやすい状態で発行され、商品貼付片を簡単且つ確実に商品に貼付することができると共に、商品貼付片と同時に発行された検品作業片を紛失することなく管理することができるという効果を奏する。
【００３４】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３５】
【図１】本発明にかかるラベル連続体の実施の形態の構成を示す平面図である。
【図２】図１に示すラベル連続体を価格変更用ラベルとして発行する第１の発行方法を説明するための説明図である。
【図３】図１に示すラベル連続体を価格変更用ラベルとして発行する第２の発行方法を説明するための説明図である。
【符号の説明】
【００３６】
１  ラベル連続体
２  連続ラベル
２ａ  左側ラベル片（第１のラベル片）
２ｂ  右側ラベル片（第２のラベル片）
３  帯状台紙
３ａ  左側台紙片（第１の台紙片）
３ｂ  右側台紙片（第２の台紙片）
２１  第１のラベル破断用切り込み
２２  第２のラベル破断用切り込み
３１  第１の台紙破断用切り込み
３２  第２の台紙破断用切り込み
３３  タイミングマーク。
４０  プリンタ
４１  プラテンローラ
４２  サーマルヘッド
４３  剥離板
４４  第１搬送ローラ
４５  第２搬送ローラ
【図１】
0004733459.tif 000002
【図２】
0004733459.tif 000003
【図３】
0004733459.tif 000004